(57)【要約】      （修正有）【課題】ライン状照明装置の放光口の光源に近い部分の眩しさを減少させ、ライン状照明装置の放光口の見た目の明るさの分布を一様にすること。【解決手段】ライン状照明装置が備える中空部材２の、発光面３に対向する内面の光源１の近傍の所定の領域に低反射部材３１を設けて、光源１から出て該低反射部材３１に入射した光が該低反射部材３１で吸収されるようにして、上記光源１が設けられた該中空部材２の開放端近くの位置の明るさを抑える。上記低反射部材として、メッシュ状部材を用いてもよい。また、上記低反射部材３１に、透明部材あるいは光透過性の光拡散部材を被せてもよい。これにより、低反射部材３１の黒い映像をぼかすことができる。【選択図】図２
0003132034.tif 000002
【実用新案登録請求の範囲】
【請求項１】
内面が鏡面で一方端または両端が開放された中空部材で構成された光伝送路からなり、その開放された一方端または両端に光源を有し、上記中空部材の長手方向に沿って光を放射する放光口が形成され、上記光源からの光を上記鏡面で反射させて中空部材内を伝送し、上記放光口から外部に放射するライン状照明装置であって、
上記放光口における輝度分布が一様になるように、上記中空部材の上記放光口に対向する内面の上記光源近傍の所定の領域の反射率を上記鏡面の反射率より低くした
ことを特徴とするライン状照明装置。
【請求項２】
内面が鏡面で一方端または両端が開放された中空部材で構成された光伝送路からなり、その開放された一方端または両端に光源を有し、上記中空部材の長手方向に沿って光を放射する放光口が形成され、上記光源からの光を上記鏡面で反射させて中空部材内を伝送し、上記放光口から外部に放射するライン状照明装置であって、
上記放光口における輝度分布が一様になるように、上記中空部材の上記放光口に対向する内面の上記光源近傍の所定の領域にメッシュ状部材を設けて、該内面の所定の領域の反射率を上記鏡面の反射率より低くした
ことを特徴とするライン状照明装置。
【請求項３】
内面が鏡面で一方端または両端が開放された中空部材で構成された光伝送路からなり、その開放された一方端または両端に光源を有し、上記中空部材の長手方向に沿って光を放射する放光口が形成され、上記光源からの光を上記鏡面で反射させて中空部材内を伝送し、上記放光口から外部に放射するライン状照明装置であって、
上記放光口における輝度分布が一様になるように、上記中空部材の上記放光口に対向する内面の上記光源近傍の所定の領域の反射率を上記鏡面の反射率より低くし、該所定の領域に透明部材もしくは光透過性の光拡散部材を被せた
ことを特徴とするライン状照明装置。
【考案の詳細な説明】
【技術分野】
【０００１】
本考案は、光を放射する放光口が設けられた内面が鏡面の光伝送路を有し、放光口から長い範囲に渡り連続的に光を放射させるようにした照明装置に関する。
【背景技術】
【０００２】
１または２の光源を用いて、長い領域に渡りライン状の光を放射する照明装置（以下このような照明装置をライン状照明装置と呼ぶこととする）は、例えばトンネル内や通路などの照明に好適である。
図５に従来のライン状照明装置の構成例を示す。図５に示すように、ライン状照明装置は、内面が鏡面に形成された中空部材１００に放光口１０１を設け、例えば中空部材１００の２つの開放端の一方に光源１０３を設けたものである。なお、光源１０３を中空部材１００の両開放端に設けてもよい。光源１０３から出た光は、中空部材１００の内面の鏡面で反射しながら中空部材１００内を搬送され、放光口１０１から外部に放射される。
【０００３】
上記ライン状照明装置としては、例えば特許文献１に記載のものが知られている。例えば、特許文献１には、透光性を有するとともに内面に導光性を有する導光材を配したパイプを使用して、光源からの光を遠方に導きつつその経路途中で光を徐々に放出するライトガイド型照明装置に関して記載されている。該ライトガイド型照明装置には、パイプの肉厚部の環状端面に光が入射するのを防ぐ遮光材が設けられている。
【特許文献１】特開２００１−１５５５０４号公報
【考案の開示】
【考案が解決しようとする課題】
【０００４】
しかし、図５に示すような従来のライン状照明装置は、光源１０３が中空部材１００の端部（開放端）に設けられている。従って、以下のような問題が生ずる。
（１）光源１０３から発せられて放光口１０１に対向する中空部材１００の内面で反射して該放光口１０１から放射される光の量は、上記光源１０３が設けられた開放端近くで最も多く、該開放端から該中空部材１００の長手方向に沿って離れた位置ほど少なくなる。  このため、上記中空部材１００からの光が照射される床面、壁面等の明るさが均一にならず、光源に近いところの方が、光源から遠いところより明るくなる。
【０００５】
（２）ライン状照明装置を建築物の天井内部に施工し、光源１０３からの光を放光口１０１から該建築物の室内に導入する構成を採った場合、該建築物の室内側からライン状照明装置を見た時に、光源１０３が設けられた開放端近くの位置ほど明るく見え、光源１０３が設けられた開放端から離れた位置ほど暗く見える。
すなわち、光源に近い部分は、光源から放射された光、あるいは、光源から放射され上記中空部材１００の内面で反射した光が、直接外部に放出されるため高輝度に見えるが、光源から遠い部分では、光源から放射される直接光は少なく、また光源から放射され上記中空部材１００の内面で反射した光も減衰するため低輝度に見え、見た目の輝度分布が一様にならない。このため、ライン状照明装置の放光口を見たとき、光源に近い部分を眩しく感じる場合がある。
【０００６】
上記（１）の問題については、例えば、光源から離れるほど放光口の単位長さ当たりの開口面積を大きくするなど、放出される光の量を調整することで解決できるが、上記（２）については放光口の大きさを変えても解決できない。
本考案は、上記従来のライン状照明装置が有する問題点を解決するためになされたものであって、その目的は、ライン状照明装置の放光口の光源に近い部分の眩しさを減少させ、ライン状照明装置の放光口の見た目の明るさの分布を一様にすることである。
【課題を解決するための手段】
【０００７】
上記課題を本考案においては、次のように解決する。
（１）内面が鏡面で一方端または両端が開放された中空部材で構成された光伝送路からなり、その開放された一方端または両端に光源を有し、上記中空部材の長手方向に沿って光を放射する放光口が形成され、上記光源からの光を上記鏡面で反射させて中空部材内を伝送し、上記放光口から外部に放射するライン状照明装置を設ける。そして、上記放光口における輝度分布が一様になるように、上記中空部材の上記放光口に対向する内面の上記光源近傍の所定の領域の反射率を上記鏡面の反射率より低くする。
（２）内面が鏡面で一方端または両端が開放された中空部材で構成された光伝送路からなり、その開放された一方端または両端に光源を有し、上記中空部材の長手方向に沿って光を放射する放光口が形成され、上記光源からの光を上記鏡面で反射させて中空部材内を伝送し、上記放光口から外部に放射するライン状照明装置を設ける。そして、上記放光口における輝度分布が一様になるように、上記中空部材の上記放光口に対向する内面の上記光源近傍の所定の領域にメッシュ状部材を設けて、該内面の所定の領域の反射率を上記鏡面の反射率より低くする。
（３）内面が鏡面で一方端または両端が開放された中空部材で構成された光伝送路からなり、その開放された一方端または両端に光源を有し、上記中空部材の長手方向に沿って光を放射する放光口が形成され、上記光源からの光を上記鏡面で反射させて中空部材内を伝送し、上記放光口から外部に放射するライン状照明装置を設ける。そして、上記放光口における輝度分布が一様になるように、上記中空部材の上記放光口に対向する内面の上記光源近傍の所定の領域の反射率を上記鏡面の反射率より低くし、該所定の領域に透明部材もしくは光透過性の光拡散部材を被せる。
【考案の効果】
【０００８】
本考案においては、以下の効果を得ることができる。
（１）本考案のライン状照明装置においては、中空部材の放光口に対向する内面の光源近傍の所定の領域に黒ないし反射率の低い部材を配置し、該中空部材の内面の鏡面の反射率より低くする。あるいは、上記中空部材の放光口に対向する内面の光源近傍の所定の領域にメッシュ状部材を設けることで、内面の鏡面の反射率を低くする。
本考案によれば、該光源近傍の所定の領域で反射して該放光口から放射される光の量を少なくすることができる。このため、ライン状照明装置の放光口の輝度分布を略一様にすることが可能となり、ライン状照明装置の光源に近い部分の放光口を見たときに感じる、眩しさを減ずることができる。
（２）本考案のライン状照明装置においては、上記反射率が鏡面の反射率より低い所定の領域に透明部材もしくは光透過性の光拡散部材を被せる。
従って、本考案によれば、光源から出て上記光透過性の光拡散部材に入射した光の一部が透明部材で反射したり、該光透過性の光拡散部材の界面において拡散する。このため、該光源から出た光が、上記所定の領域に入射することに起因して生ずる黒い映像をぼかすことができる。その結果、放光口側から見た時のライン状照明装置の見え方をより均一化することができる。
【考案を実施するための最良の形態】
【０００９】
図１は、本考案の第１の実施の形態のライン状照明装置の構成の一例を示す図である。  図１において、１は光源、２は中空部材、３は発光面、４は壁面板、５はフレーム、６はカバー、１０は光源用リフレクタである。中空部材２の一方端又は両端は開放されている。該開放されている一方端又は両端を、以下では開放端という。中空部材２の内面は鏡面２０からなる。中空部材２の開放端には光源１が設けられている。発光面３は、アクリル板やガラス板等からなり、中空部材２の長手方向に沿って光を放射する放光口２１に設けられている。なお、発光面３は、後述するカバー６とフレーム５との間に挟み込まれて固定されている。光源１から出た光は、中空部材２の内面の鏡面２０で反射しながら中空部材２内を搬送され、発光面３から外部に放射される。すなわち、中空部材２は光伝送路を構成する。
【００１０】
また、中空部材２の放光口２１に対向する内面の光源１近傍の所定の領域の反射率が鏡面２０の反射率より低くなるように、該所定の領域に反射率の低い低反射部材（図１では図示を省略）が設けられている。壁面板４は、ライン状照明装置が設けられる壁面の板である。フレーム５は、例えばアルミ等の材料からなる固定部材である。フレーム５を長手方向に直交する平面で切った断面は、コの字状であり、該コの字状のフレーム５は、図１に示すように、壁面板４と中空部材２とを挟み込んで固定する。
【００１１】
図２（Ａ）は、図１に示すライン状照明装置を長手方向に垂直な平面で切った断面を示す図であり、図２（Ｂ）は、図１に示すライン状照明装置を長手方向に切った断面を示す図である。図２（Ａ）、（Ｂ）に示すように、低反射部材３１が、中空部材２の発光面３に対向する内面の光源１近傍の所定の領域に設けられている。低反射部材３１は、例えば、光を吸収する黒色の部材である。
【００１２】
光源１から出た光のうち、低反射部材３１の方向（図２（Ｂ）中の実線の矢印で示す方向）に向かう光は、低反射部材３１に入射すると、該低反射部材３１によって吸収される。従って、該低反射部材３１に入射して図２（Ｂ）中の点線の矢印で示す方向に反射し、発光面３から放射される光の量は、該低反射部材３１が設けられていない場合に比べて少なくなる。その結果、光源１が設けられた開放端近くの位置の明るさが抑えられ、発光面３から外部に放射される光の明るさが均一化する。
【００１３】
本考案の第２の実施の形態に係るライン状照明装置は、図２（Ａ）、（Ｂ）に示す中空部材２の発光面３に対向する内面の光源１近傍の所定の領域に、上記低反射部材３１としてメッシュ状の部材（メッシュ状部材）を備える。光源１から出た光は、上記光源１近傍の所定の領域に設けられたメッシュ状部材に入射することによって光量が減少する。その結果、光源１が設けられた開放端近くの位置における明るさが抑えられる。
【００１４】
図３（Ａ）、（Ｂ）は、本考案の第３の実施の形態に係るライン状照明装置の構成の一例を示す図である。中空部材２の発光面３に対向する内面の光源１近傍の所定の領域に低反射部材３１を設ける構成によれば、光源１が設けられた開放端近くの位置の明るさを抑えることができるが、光源１から出た光の多くが該低反射部材３１によって吸収されるため、上記光源１近傍の所定の領域に該低反射部材３１の黒い映像が生じてしまうことがある。
そこで、本考案の第３の実施の形態に係るライン状照明装置は、図３（Ａ）に示すように、中空部材２の発光面３に対向する内面（鏡面２０）の光源１近傍の所定の領域に低反射部材３１を備えるとともに、該低反射部材３１に、透明部材あるいは光透過性の光拡散部材３２を被せる。透明部材あるいは光透過性の光拡散部材３２は、例えば透明、半透明（例えば梨地状）、乳白色のガラスやアクリル樹脂等である。
透明部材は入射した光を透過するとともに該入射した光の一部を反射し、また、光透過性の光拡散部材３２は入射した光を拡散させる。
【００１５】
図４は、図３（Ａ）、（Ｂ）において、低反射部材３１に透明部材３２を被せた場合の光源１近傍の領域の部分拡大図である。図４中の実線の矢印で示すように、光源１から出て透明部材３２に入射する光の多くは、該透明部材３２を透過して低反射部材３１に入射するが、透明部材３２に入射する光の一部は、該透明部材３２の界面で、点線の矢印で示すように反射する。透明部材３２への光の入射角によっては、該入射した光が全反射する場合もある。上記のように、透明部材３２の界面で入射光が反射することによって、前述した低反射部材３１の黒い映像がぼけて、放光口側から見た時のライン状照明装置の見え方が均一化する。
低反射部材３１に光透過性の光拡散部材を被せた場合も、上記と同様に低反射部材３１の黒い映像をぼかし、放光口側から見た時のライン状照明装置の輝度分布を均一化することができる。
【図面の簡単な説明】
【００１６】
【図１】本考案の第１の実施の形態のライン状照明装置の構成の一例を示す図である。
【図２】ライン状照明装置を長手方向に垂直な平面で切った断面及びライン状照明装置を長手方向に切った断面を示す図である。
【図３】本考案の第３の実施の形態に係るライン状照明装置の構成の一例を示す図である。
【図４】低反射部材及び透明部材が設けられた領域の部分拡大図である。
【図５】従来のライン状照明装置の構成例を示す図である。
【符号の説明】
【００１７】
１、１０３  光源
２、１００  中空部材
３  発光面
４  壁面板
５  フレーム
６  カバー
１０  光源用リフレクタ
２０  鏡面
３１  低反射部材
３２  光透過性の光拡散部材
１０１  放光口
【図１】
0003132034.tif 000003
【図２】
0003132034.tif 000004
【図３】
0003132034.tif 000005
【図４】
0003132034.tif 000006
【図５】
0003132034.tif 000007